【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
入力された音声信号を処理する複数の機能ブロックを有する複数の入力チャンネルと、
前記入力チャンネル毎に、前記各機能ブロックでの信号処理を制御するパラメータを操作するための複数の入力チャンネル操作子と、
前記複数の入力チャンネルにてそれぞれ信号処理された音声信号を混合して出力するミキシング手段と
を備えたミキサであって、
前記パラメータを割当可能な複数のオペレータ操作子と、
前記複数の入力チャンネル毎に前記機能ブロックに対応する機能ブロック画像を表示する表示手段と、
前記表示手段に表示された機能ブロック画像のうち何れかを選択する機能選択手段と、
前記複数のオペレータ操作子のうち何れかを指定する操作子指定手段と、
選択された前記機能ブロック画像に対応する、前記入力チャンネルの機能ブロックでの信号処理を制御するパラメータを、指定された前記オペレータ操作子に割り当てる割当手段と
を備え、前記入力チャンネル操作子または前記オペレータ操作子の操作に応じて、これら各操作子に対応するパラメータを操作して、入力された前記音声信号の信号処理を制御すること
を特徴とするミキサ。
【請求項２】
入力された音声信号を処理する複数の機能ブロックを有する複数の入力チャンネルと、
前記入力チャンネル毎に、前記各機能ブロックでの信号処理を制御するパラメータを操作するための複数の入力チャンネル操作子と、
前記複数の入力チャンネルにてそれぞれ信号処理された音声信号を混合して出力するミキシング手段と、
前記パラメータを割当可能な複数のオペレータ操作子と、
画像を表示する表示手段と、
処理装置と
を備えたミキサに適用されるプログラムであって、
前記複数の入力チャンネル毎に前記機能ブロックに対応する機能ブロック画像を前記表示手段に表示するステップと、
ユーザによる指示に応じて、前記表示手段に表示された機能ブロック画像のうち何れかを選択するステップと、
ユーザによる指示に応じて、前記複数のオペレータ操作子のうち何れかを指定するステップと、
選択された前記機能ブロック画像に対応する、前記入力チャンネルの機能ブロックでの信号処理を制御するパラメータを、指定された前記オペレータ操作子に割り当てるステップと、
前記入力チャンネル操作子または前記オペレータ操作子の操作に応じて、これら各操作子に対応するパラメータを操作して、入力された前記音声信号の信号処理を制御するステップと
を前記処理装置に実行させることを特徴とするプログラム。
【手続補正２】
【補正対象書類名】明細書
【補正対象項目名】発明の名称
【補正方法】変更
【補正の内容】
【発明の名称】ミキサおよびプログラム
【手続補正３】
【補正対象書類名】明細書
【補正対象項目名】０００１
【補正方法】変更
【補正の内容】
【０００１】
本発明は、音声信号のミキシングに用いて好適なミキサおよびプログラムに関する。
【手続補正４】
【補正対象書類名】明細書
【補正対象項目名】０００４
【補正方法】変更
【補正の内容】
【０００４】
ところが、信号処理の機能は多種類であるので、操作子がきわめて多数使用されている。また、操作パネル上の一つの操作子がブロック図上に示される複数のスイッチ等に設定され、使用状況によって使い分けられることもある。したがって、初心者にとっては、必要とする機能を実現するために何れの操作子を操作すればよいのか判断に迷う場合があるという問題点があった。
この発明は、上述した事情に鑑みてなされたものであり、必要とする機能と、対応する操作子との関連性をユーザが容易に認識できるミキサおよびプログラムを提供することを目的とする。
【手続補正５】
【補正対象書類名】明細書
【補正対象項目名】０００５
【補正方法】変更
【補正の内容】
【０００５】
上記課題を解決するため本発明にあっては、下記構成を具備することを特徴とする。なお、括弧内は例示である。
請求項１記載のミキサにあっては、入力された音声信号を処理する複数の機能ブロック（低音、中音、高音のイコライザ機能、レベル調節、スイッチ）を有する複数の入力チャンネルと、前記入力チャンネル毎に、前記各機能ブロックでの信号処理を制御するパラメータを操作するための複数の入力チャンネル操作子（１１１〜１１８）と、前記複数の入力チャンネルにてそれぞれ信号処理された音声信号を混合して出力するミキシング手段とを備えたミキサであって、前記パラメータを割当可能な複数のオペレータ操作子（１２１，１２２，１２３）と、前記複数の入力チャンネル毎に前記機能ブロックに対応する機能ブロック画像（１５１，１５３，１５６〜１５８）を表示する表示手段（４０）と、前記表示手段（４０）に表示された機能ブロック画像のうち何れかを選択する機能選択手段（３０，ＳＰ３０）と、前記複数のオペレータ操作子（１２１，１２２，１２３）のうち何れかを指定する操作子指定手段（３０，ＳＰ４０）と、選択された前記機能ブロック画像に対応する、前記入力チャンネルの機能ブロックでの信号処理を制御するパラメータを、指定された前記オペレータ操作子に割り当てる割当手段（ＳＰ５０）とを備え、前記入力チャンネル操作子（１１１〜１１８）または前記オペレータ操作子（１２１，１２２，１２３）の操作に応じて、これら各操作子に対応するパラメータを操作して、入力された前記音声信号の信号処理を制御すること（ＳＰ１５）を特徴とする。
また、請求項２記載のプログラムにあっては、入力された音声信号を処理する複数の機能ブロック（低音、中音、高音のイコライザ機能、レベル調節、スイッチ）を有する複数の入力チャンネルと、前記入力チャンネル毎に、前記各機能ブロックでの信号処理を制御するパラメータを操作するための複数の入力チャンネル操作子（１１１〜１１８）と、前記複数の入力チャンネルにてそれぞれ信号処理された音声信号を混合して出力するミキシング手段と、前記パラメータを割当可能な複数のオペレータ操作子（１２１，１２２，１２３）と、画像を表示する表示手段（４０）と、処理装置（５０）とを備えたミキサに適用されるプログラムであって、前記複数の入力チャンネル毎に前記機能ブロックに対応する機能ブロック画像（１５１，１５３，１５６〜１５８）を前記表示手段（４０）に表示するステップ（ＳＰ２０）と、ユーザによる指示に応じて、前記表示手段（４０）に表示された機能ブロック画像のうち何れかを選択するステップ（ＳＰ３０）と、ユーザによる指示に応じて、前記複数のオペレータ操作子（１２１，１２２，１２３）のうち何れかを指定するステップ（ＳＰ４０）と、選択された前記機能ブロック画像に対応する、前記入力チャンネルの機能ブロックでの信号処理を制御するパラメータを、指定された前記オペレータ操作子に割り当てるステップ（ＳＰ５０）と、前記入力チャンネル操作子（１１１〜１１８）または前記オペレータ操作子（１２１，１２２，１２３）の操作に応じて、これら各操作子に対応するパラメータを操作して、入力された前記音声信号の信号処理を制御するステップ（ＳＰ１５）とを前記処理装置（５０）に実行させることを特徴とする。
【手続補正６】
【補正対象書類名】明細書
【補正対象項目名】０００６
【補正方法】変更
【補正の内容】
【０００６】
このように、本発明の構成によれば、所望の信号処理の機能ブロックに対応する機能ブロック画像を選択し、さらに、オペレータ操作子のうち何れかを指定すると、該機能ブロックを該オペレータ操作子に割り当てることができるから、ユーザは当該機能と当該操作子との関連性を容易に認識することができる。